(57)【要約】【課題】バッテリーが切れた携帯電話端末を活用することができるようにする。【解決手段】携帯電話端末１はＲＦＩＤタグを内蔵しており、このＲＦＩＤタグには、電話番号等の通信情報データが記憶されている。公衆電話機８０や汎用パーソナルコンピュータ９０は、携帯電話端末１のバッテリーが切れていたとしても、携帯電話端末１のＲＦＩＤタグから、通信情報データを非接触で読み取る。【選択図】図１
2009177596.tif 000002
【特許請求の範囲】
【請求項１】
データを記憶可能なＲＦＩＤタグと、
通信情報に関する通信情報データを前記データとして前記ＲＦＩＤタグに記憶させるデータ記憶制御手段と、
を有する携帯電話端末と、
前記ＲＦＩＤタグから前記通信情報データを非接触で読み取る読取手段を有する読取装置と、
を有することを特徴とする通信システム。
【請求項２】
前記読取装置は、
外部から操作される操作手段と、
前記操作手段に所定の操作が行われたことを条件として、前記読取手段に前記通信情報データを読み取らせる読取制御手段と、
を更に有することを特徴とする請求項１に記載の通信システム。
【請求項３】
前記読取装置は、
画像を表示する表示手段と、
前記読取手段が読み取った前記通信情報データを通信情報画像として前記表示手段に表示させる表示制御手段と、
を更に有することを特徴とする請求項１又は２に記載の通信システム。
【請求項４】
前記読取装置は、
他の通信装置との間で通信可能な通信手段を更に有することを特徴とする請求項１乃至３のいずれかに記載の通信システム。
【請求項５】
請求項１乃至４のいずれかに記載の通信システムに用いられる携帯電話端末であって、
データを記憶可能なデータ記憶手段を更に有し、
前記データ記憶制御手段は、前記通信情報データを前記データとして前記データ記憶手段に記憶させることを特徴とする携帯電話端末。
【請求項６】
請求項１乃至４のいずれかに記載の通信システムに用いられる読取装置であって、
公衆電話機に設けられていることを特徴とする読取装置。
【請求項７】
請求項１乃至４のいずれかに記載の通信システムに用いられる読取装置であって、
汎用パーソナルコンピュータに設けられていることを特徴とする読取装置。
【発明の詳細な説明】
【技術分野】
【０００１】
本発明は、ＲＦＩＤタグを利用した通信システム、これに用いられる携帯電話端末及び読取装置に関する。
【背景技術】
【０００２】
従来、携帯電話端末には、他人の電話番号等をデータとして記憶するメモリが内蔵されている。これにより、ユーザはメモリに記憶された電話番号を利用して容易に通話を行うことができる。そして、このような携帯電話端末はバッテリーにより駆動されている。
【０００３】
また、特許文献１には、ＲＦＩＤタグを備えた携帯電話端末が近接したのを認識して、時刻情報をＲＦＩＤタグに非接触で送信することにより、携帯電話端末における時刻情報を補正させる情報処理装置、リーダライタ、時刻補正プログラムおよび時刻補正方法が開示されている。
【０００４】
【特許文献１】特開２００７−４０８８１号公報
【発明の開示】
【発明が解決しようとする課題】
【０００５】
しかしながら、このような携帯電話端末は、バッテリーが切れると通話などの全ての機能が停止する。よって、バッテリーが切れた携帯電話端末を活用することは、一切できなかった。
【０００６】
本発明の目的は、バッテリーが切れた携帯電話端末を活用することが可能な通信システム、これに用いられる携帯電話端末及び読取装置を提供することである。
【課題を解決するための手段及び効果】
【０００７】
本発明の通信システムは、データを記憶可能なＲＦＩＤタグと、通信情報に関する通信情報データを前記データとして前記ＲＦＩＤタグに記憶させるデータ記憶制御手段と、を有する携帯電話端末と、前記ＲＦＩＤタグから前記通信情報データを非接触で読み取る読取手段を有する読取装置と、を有することを特徴とする。
【０００８】
上記の構成によれば、携帯電話端末のバッテリーが切れていたとしても、読取装置が有する読取手段によって、携帯電話端末が有するＲＦＩＤタグから通信情報データが非接触で読み取られる。これにより、携帯電話端末が記憶する通信情報データが読取装置において利用可能となるから、携帯電話端末のバッテリーが切れていたとしても、読取装置が読み取った通信情報データを用いて、公衆電話機等の他の通信装置で通信を行うことが可能となる。このように、携帯電話端末が有するＲＦＩＤタグに通信情報データを記憶させておくことで、バッテリーが切れた携帯電話端末を活用することができる。
【０００９】
また、本発明の通信システムにおいて、前記読取装置は、外部から操作される操作手段と、前記操作手段に所定の操作が行われたことを条件として、前記読取手段に前記通信情報データを読み取らせる読取制御手段と、を更に有していてよい。上記の構成によれば、操作手段に所定の操作が行われたことを条件として、通信情報データが読取手段に読み取られるから、個人情報が他人に取得されるのを防止することができる。
【００１０】
また、本発明の通信システムにおいて、前記読取装置は、画像を表示する表示手段と、前記読取手段が読み取った前記通信情報データを通信情報画像として前記表示手段に表示させる表示制御手段と、を更に有していてよい。上記の構成によれば、通信情報データが通信情報画像として表示手段に表示されるから、表示手段を視認することによって、知りたい通信情報を容易に検索することができる。
【００１１】
また、本発明の通信システムにおいて、前記読取装置は、他の通信装置との間で通信可能な通信手段を更に有していてよい。上記の構成によれば、読取装置が読み取った通信情報データを用いて、通信手段により他の携帯電話端末等の他の通信装置との間で通話等の通信を直ちに行うことができる。
【００１２】
また、本発明の携帯電話端末は、上記の通信システムに用いられる携帯電話端末であって、データを記憶可能なデータ記憶手段を更に有し、前記データ記憶制御手段は、前記通信情報データを前記データとして前記データ記憶手段に記憶させることを特徴とする。
【００１３】
上記の構成によれば、通信情報データは、ＲＦＩＤタグとデータ記憶手段とにそれぞれ記憶される。これにより、ＲＦＩＤタグが記憶する通信情報データに破損等の事態が生じても、データ記憶手段が記憶する通信情報データを用いて復元することができる。
【００１４】
また、本発明の読取装置は、上記の通信システムに用いられる読取装置であって、公衆電話機に設けられていることを特徴とする。
【００１５】
上記の構成によれば、ＲＦＩＤタグが記憶する通信情報データが公衆電話機に読み取られるから、公衆電話機が備える通話機能と通信情報データとを利用して、外部との通話を直ちに行うことができる。
【００１６】
また、本発明の読取装置は、上記の通信システムに用いられる読取装置であって、汎用パーソナルコンピュータに設けられていることを特徴とする。
【００１７】
上記の構成によれば、ＲＦＩＤタグが記憶する通信情報データが汎用パーソナルコンピュータに読み取られるから、汎用パーソナルコンピュータが備える通信機能と通信情報データとを利用して、外部とのメール通信等を直ちに行うことができる。
【発明を実施するための最良の形態】
【００１８】
本発明の実施の形態を図１ないし図４に基づいて以下に説明する。
【００１９】
（通信システム１００の構成）
本実施の形態にかかる通信システム１００は、図１に示すように、携帯電話端末１と、公衆電話機８０又は汎用パーソナルコンピュータ９０とを有している。なお、携帯電話端末１は、通話の他に、インターネットや電子メールの送受信、テレビ電話、写真撮影を行うことができるものとする。また、汎用パーソナルコンピュータ９０は、電子メールの送受信を行うことができるものとする。
【００２０】
（携帯電話端末１の機械的構成）
携帯電話端末１は、図１に示すように、折りたたみ式であり、液晶表示装置８、スピーカ５、操作キー群６、および、マイク４を折りたたみ式の筐体の内側に有している。また、携帯電話端末１は、カメラ９および外部スピーカ３を折りたたみ式の筐体の外側に有している。そして、このような携帯電話端末１は、図示しないバッテリーを内蔵しており、バッテリーから供給される電力によって駆動可能となっている。なお、携帯電話端末１は、折りたたみ式に限定されるものではない。
【００２１】
また、携帯電話端末１には、データを記憶可能なＲＦＩＤタグ５０（図２参照）が内蔵されている。このＲＦＩＤタグ５０は、所謂パッシブタグであり、外部からの電波をエネルギー源として動作する。このため、ＲＦＩＤタグ５０には電池が内蔵されていない。なお、ＲＦＩＤタグ５０は、電池を内蔵したアクティブタグであってもよい。このように、ＲＦＩＤタグ５０は、携帯電話端末１のバッテリーをエネルギー源としていないため、携帯電話端末１のバッテリーが切れていても正常に動作する。ＲＦＩＤタグ５０には、電話番号やメールアドレスといった通信情報に関する通信情報データが記憶されている。
【００２２】
（公衆電話機８０および汎用パーソナルコンピュータ９０の機械的構成）
公衆電話機８０および汎用パーソナルコンピュータ９０は、図１に示すように、外部から操作される操作手段としての操作部９２と、画像を表示する表示手段としての表示部９３とをそれぞれ有している。
【００２３】
また、公衆電話機８０および汎用パーソナルコンピュータ９０は、その一部が、ＲＦＩＤタグ５０から通信情報データを非接触で読み取る読取手段を有する読取装置として機能するように構成されている。具体的には、公衆電話機８０は、後述するアンテナ９１等の読取手段を有しており、読み取り開始ボタン（図示せず）が操作されて、読み取り機能が起動された場合に、携帯電話端末１が内蔵するＲＦＩＤタグ５０から、通信情報データを非接触で読み取る。また、汎用パーソナルコンピュータ９０は、後述するアンテナ９１等の読取手段を有しており、読み取りプログラムが起動された場合に、携帯電話端末１が内蔵するＲＦＩＤタグ５０から、通信情報データを非接触で読み取る。
【００２４】
このように、携帯電話端末１のバッテリーが切れていたとしても、公衆電話機８０あるいは汎用パーソナルコンピュータ９０によって、携帯電話端末１が有するＲＦＩＤタグ５０から通信情報データが非接触で読み取られる。これにより、携帯電話端末１が記憶する通信情報データが公衆電話機８０あるいは汎用パーソナルコンピュータ９０において利用可能となるから、携帯電話端末１のバッテリーが切れていたとしても、公衆電話機８０あるいは汎用パーソナルコンピュータ９０が読み取った通信情報データを用いて、他の通信装置との間で通信を行うことが可能となる。このように、携帯電話端末１が有するＲＦＩＤタグ５０に通信情報データを記憶させておくことで、バッテリーが切れた携帯電話端末１を活用することができる。
【００２５】
更に、公衆電話機８０および汎用パーソナルコンピュータ９０は、操作部９２に所定の操作が行われたことを条件として、具体的には、操作部９２に正規のパスワードが入力されたことを条件として、携帯電話端末１が内蔵するＲＦＩＤタグ５０から、通信情報データを非接触で読み取る。読み取られた通信情報データは、表示部９３に通信情報画像２０として表示される。なお、パスワードは、事前にインターネット等により登録される構成にされている。
【００２６】
このように、操作部９２に正規のパスワードが入力されたことを条件として、通信情報データが公衆電話機８０あるいは汎用パーソナルコンピュータ９０に読み取られるから、個人情報が他人に取得されるのを防止することができる。また、通信情報データが通信情報画像２０として表示部９３に表示されるから、表示部９３を視認することによって、知りたい通信情報を容易に検索することができる。
【００２７】
（携帯電話端末１の電気的構成）
携帯電話端末１は、図２に示すように、制御回路３１によって動作が制御されている。図２に示す制御回路３１は、回路基板上に配置されたマイクロコンピュータ３２を主たる構成要素とし、これに各種回路を加えて構成されている。マイクロコンピュータ３２は、予め設定されたプログラムに従って制御動作を行うＣＰＵ３３と、ＲＯＭ３４と、データ記憶手段としてのＲＡＭ３５とを有している。
【００２８】
ＣＰＵ３３には、アンテナ２を介して各種デジタル信号の送受信を行う送受信部３６、増幅器としてのパワーアンプ３８を介して外部スピーカ３から出力させる着信音等の音を制御する音源ＩＣ３７、マイク４に入力された音声を処理する入力音声処理回路３９、スピーカ５から出力させる音声を処理する出力音声処理回路４０、操作キー群６からの各種入力信号やフリップセンサ７からのオン／オフ信号が入力されるインターフェイス回路４１、液晶表示装置８に表示させる画像を制御する画像制御回路４２、カメラ９が撮像した画像データを処理する画像処理回路４３、および、ＲＦＩＤタグ５０が接続されている。
【００２９】
ＣＰＵ３３は、アンテナ２を介して送受信部３６が通話や電子メール等のデータを受信した際に、音源ＩＣ３７を制御して、パワーアンプ３８を介して外部スピーカ３から各種着信音を出力させる。また、ＣＰＵ３３は、インターフェイス回路４１を介してフリップセンサ７からオン／オフ信号を受信することによって、折りたたみ式の筐体の開閉を判断する。
【００３０】
また、ＣＰＵ３３は、外部との通話時に、アンテナ２を介して送受信部３６が受信した通話先の音声を出力音声処理回路４０で処理させて、スピーカ５から出力させる一方、マイク４に入力された音声を入力音声処理回路３９で処理させて、送受信部３６からアンテナ２を介して外部に送信させる。また、ＣＰＵ３３は、アンテナ２を介して送受信部３６が受信した相手の電話番号や電子メール等の内容を、画像制御回路４２を制御して、液晶表示装置８に表示させる。
【００３１】
また、ＣＰＵ３３は、外部に電話をかけたり電子メールを送信したりする際に、インターフェイス回路４１を介して操作キー群６からの各種入力を受け付け、その入力内容を液晶表示装置８に表示させるように画像制御回路４２を制御する。また、ＣＰＵ３３は、テレビ電話や写真撮影を行う際に、カメラ９を駆動させ、カメラ９が撮像した画像データを画像処理回路４３で処理させて、液晶表示装置８に表示させる。
【００３２】
また、データ記憶制御手段としてのＣＰＵ３３は、通信情報データをＲＦＩＤタグ５０とＲＡＭ３５とにそれぞれ記憶させる。これにより、ＲＦＩＤタグ５０が記憶する通信情報データに破損等の事態が生じても、ＲＡＭ３５が記憶する通信情報データを用いて復元することができる。
【００３３】
ＲＯＭ３４やＲＡＭ３５には、外部スピーカ３から出力させる各種着信音のデータが記憶されている。また、ＲＡＭ３５には、通話記録、電子メールの内容等が記憶されるとともに、通信情報データが、後述する通信情報管理テーブル（図３参照）の形式で記憶されている。
【００３４】
（ＲＦＩＤタグ５０の電気的構成）
ＲＦＩＤタグ５０は、図２に示すように、通信情報データを記憶するメモリ５２と、通信情報データを送信させるＣＰＵ５１と、送信される通信情報データを変調する変調回路５３と、公衆電話機８０および汎用パーソナルコンピュータ９０のアンテナ９１に対して非接触で通信情報データを送信するアンテナ５５と、駆動電源を供給する電源制御回路５４とを有している。
【００３５】
（公衆電話機８０および汎用パーソナルコンピュータ９０の電気的構成）
公衆電話機８０および汎用パーソナルコンピュータ９０は、図２に示すように、制御回路８１によって動作が制御されている。図２に示す制御回路８１は、回路基板上に配置されたマイクロコンピュータ８２を主たる構成要素とし、これに各種回路を加えて構成されている。マイクロコンピュータ８２は、予め設定されたプログラムに従って制御動作を行うＣＰＵ８３と、ＲＯＭ８４と、ＲＡＭ８５とを有している。
【００３６】
ＣＰＵ８３には、アンテナ９１が受信した通信情報データを復調する復調回路８６、操作部９２からの各種入力信号が入力されるインターフェイス回路８７、表示部９３の表示を制御する表示制御回路８８、および、通信部９４を介して外部との通信を行う通信手段としての通信回路８９が接続されている。
【００３７】
読取制御手段としてのＣＰＵ８３は、操作部９２に入力されたパスワードが正しい場合に、アンテナ９１からＲＦＩＤタグ５０に向かって電波を送信させることにより、ＲＦＩＤタグ５０から通信情報データを送信させて、これをアンテナ９１で受信させ、受信した通信情報データを復調回路８６により復調させて、ＲＡＭ８５に記憶させる。また、表示制御手段としてのＣＰＵ８３は、通信情報データを通信情報画像２０として表示部９３に表示させる。
【００３８】
また、ＣＰＵ８３は、通信回路８９により通信部９４を介して外部と通信を行う。具体的には、公衆電話機８０であれば、ＣＰＵ８３は、通信回路８９により通信部９４を介して他の携帯電話端末等の他の通信装置との間で通話を行う。また、汎用パーソナルコンピュータ９０であれば、ＣＰＵ８３は、通信回路８９により通信部９４を介して他の携帯電話端末や汎用パーソナルコンピュータ等の他の通信装置との間で電子メールの送受信を行う。
【００３９】
このように、公衆電話機８０あるいは汎用パーソナルコンピュータ９０が読み取った通信情報データを用いて、通信回路８９により通信部９４を介して他の通信装置との間で通信を直ちに行うことができる。そして、公衆電話機８０の場合には、公衆電話機８０が備える通話機能と通信情報データとを利用して、外部との通話を直ちに行うことができる一方、汎用パーソナルコンピュータ９０の場合には、汎用パーソナルコンピュータ９０が備える通信機能と通信情報データとを利用して、外部とのメール通信等を直ちに行うことができる。
【００４０】
（通信情報管理テーブル）
携帯電話端末１のＲＡＭ３５やＲＦＩＤタグ５０のメモリ５２、公衆電話機８０および汎用パーソナルコンピュータ９０のＲＡＭ８５には、通信情報データが、図３に示す通信情報管理テーブルの形式で記憶される。この通信情報管理テーブルにおいては、一のメモリ番号に対して、「名前」、「電話番号」、「メールアドレス」がそれぞれ対応付けられている。そして、このような通信情報管理テーブルは、公衆電話機８０および汎用パーソナルコンピュータ９０が備える表示部９３に通信情報画像２０として表示される。
【００４１】
（通信システム１００の動作）
上記の構成において、図４に示す通信処理ルーチンを参照して、通信システム１００の動作について説明する。
【００４２】
（ＲＦＩＤタグ側通信処理ルーチン）
ＲＦＩＤタグ５０の動作であるＲＦＩＤタグ側通信処理ルーチンが実行されると、図４に示すように、ＣＰＵ５１は、公衆電話機８０あるいは汎用パーソナルコンピュータ９０から電波を受信する（Ｓ１）。ＣＰＵ５１は、受信した電波をエネルギー源として駆動して、メモリ５２に記憶されている通信情報データを公衆電話機８０あるいは汎用パーソナルコンピュータ９０に向かって送信し（Ｓ２）、本ルーチンを終了する。なお、ＲＦＩＤタグ５０は、携帯電話端末１のバッテリーをエネルギー源としていないため、ＣＰＵ５１は、携帯電話端末１のバッテリーが切れているかいないかに関わらず、ＲＦＩＤタグ側通信処理ルーチンを実行する。また、通信情報データは、携帯電話端末１のＣＰＵ３３によって、ＲＦＩＤタグ５０のメモリ５２とＲＡＭ３５とにそれぞれ記憶されている。これにより、ＲＦＩＤタグ５０が記憶する通信情報データに破損等の事態が生じても、ＲＡＭ３５が記憶する通信情報データを用いて復元することができる。
【００４３】
（読取装置側通信処理ルーチン）
公衆電話機８０において読み取り機能が起動されるか、汎用パーソナルコンピュータ９０において読み取りプログラムが起動されて、公衆電話機８０および汎用パーソナルコンピュータ９０の動作である読取装置側通信処理ルーチンが実行されると、図４に示すように、ＣＰＵ８３は、パスワードが入力されたか否かを判定する（Ｓ１０１）。なお、パスワードは、事前にインターネット等により登録される構成にされている。パスワードが入力されていないと判定した場合には（Ｓ１０１：ＮＯ）、Ｓ１０１を繰り返すことで、パスワードの入力待ちとなる。一方、パスワードが入力されたと判定した場合には（Ｓ１０１：ＹＥＳ）、パスワードが一致するか否かを判定する（Ｓ１０２）。
【００４４】
パスワードが一致しないと判定した場合には（Ｓ１０２：ＮＯ）、Ｓ１０１に戻る。一方、パスワードが一致したと判定した場合には（Ｓ１０２：ＹＥＳ）、ＲＦＩＤタグ５０に向けて電波を送信させ（Ｓ１０３）、ＲＦＩＤタグ５０から通信情報データを受信させる（Ｓ１０４）。受信した通信情報データはＲＡＭ８５に記憶される。そして、図１に示すように、表示部９３に通信情報画像２０を表示させる（Ｓ１０５）。
【００４５】
このように、携帯電話端末１のバッテリーが切れていたとしても、公衆電話機８０あるいは汎用パーソナルコンピュータ９０によって、携帯電話端末１が有するＲＦＩＤタグ５０から通信情報データが非接触で読み取られる。これにより、携帯電話端末１が記憶する通信情報データが公衆電話機８０あるいは汎用パーソナルコンピュータ９０において利用可能となるから、携帯電話端末１のバッテリーが切れていたとしても、公衆電話機８０あるいは汎用パーソナルコンピュータ９０が読み取った通信情報データを用いて、他の通信装置との間で通信を行うことが可能となる。このように、携帯電話端末１が有するＲＦＩＤタグ５０に通信情報データを記憶させておくことで、バッテリーが切れた携帯電話端末１を活用することができる。
【００４６】
また、操作部９２に正規のパスワードが入力されたことを条件として、通信情報データが公衆電話機８０あるいは汎用パーソナルコンピュータ９０に読み取られるから、個人情報が他人に取得されるのを防止することができる。また、通信情報データが通信情報画像２０として表示部９３に表示されるから、表示部９３を視認することによって、知りたい通信情報を容易に検索することができる。
【００４７】
ここで、表示部９３に通信情報画像２０として表示されている通信情報データは、他の通信装置との通信に利用することが可能にされている。具体的には、公衆電話機８０であれば、操作部９２により選択された電話番号に自動で電話がかけられる。また、汎用パーソナルコンピュータ９０であれば、操作部９２により選択されたメールアドレスを宛先とした電子メールの作成が開始される。
【００４８】
このように、公衆電話機８０あるいは汎用パーソナルコンピュータ９０が読み取った通信情報データを用いて、通信回路８９により通信部９４を介して他の通信装置との間で通信を直ちに行うことができる。そして、公衆電話機８０の場合には、公衆電話機８０が備える通話機能と通信情報データとを利用して、外部との通話を直ちに行うことができる一方、汎用パーソナルコンピュータ９０の場合には、汎用パーソナルコンピュータ９０が備える通信機能と通信情報データとを利用して、外部とのメール通信等を直ちに行うことができる。
【００４９】
その後、終了操作が行われたか否かを判定し（Ｓ１０６）、終了操作が行われていないと判定した場合には（Ｓ１０６：ＮＯ）、所定時間（例えば３分）が経過したか否かを判定する（Ｓ１０７）。所定時間が経過していないと判定した場合には（Ｓ１０７：ＮＯ）、Ｓ１０６に戻る。Ｓ１０６において終了操作が行われたと判定した場合（Ｓ１０６：ＹＥＳ）、または、Ｓ１０７において所定時間が経過したと判定した場合には（Ｓ１０７：ＹＥＳ）、表示内容を表示部９３から消去させ（Ｓ１０８）、通信情報データをＲＡＭ８５から消去させて（Ｓ１０９）、本ルーチンを終了する。
【００５０】
（本実施の形態の概要）
以上のように、本実施の形態の通信システム１００は、データを記憶可能なＲＦＩＤタグ５０と、通信情報（電話番号、メールアドレス等）に関する通信情報データをデータとしてＲＦＩＤタグ５０に記憶させるデータ記憶制御手段（ＣＰＵ３３等）と、を有する携帯電話端末１と、ＲＦＩＤタグ５０から通信情報データを非接触で読み取る読取手段（アンテナ９１、復調回路８６等）を有する読取装置（ＣＰＵ８３、アンテナ９１、復調回路８６等）と、を有する構成にされている。
【００５１】
上記の構成によれば、携帯電話端末１のバッテリーが切れていたとしても、読取装置が有する読取手段によって、携帯電話端末１が有するＲＦＩＤタグ５０から通信情報データが非接触で読み取られる。これにより、携帯電話端末１が記憶する通信情報データが読取装置において利用可能となるから、携帯電話端末１のバッテリーが切れていたとしても、読取装置が読み取った通信情報データを用いて、公衆電話機８０等の他の通信装置で通信を行うことが可能となる。このように、携帯電話端末１が有するＲＦＩＤタグ５０に通信情報データを記憶させておくことで、バッテリーが切れた携帯電話端末１を活用することができる。
【００５２】
また、本実施の形態の通信システム１００において、読取装置は、外部から操作される操作手段（操作部９２等）と、操作手段に所定の操作（パスワード入力操作）が行われたことを条件として、読取手段に通信情報データを読み取らせる読取制御手段（ＣＰＵ８３、図４の読取装置側通信処理ルーチン等）と、を更に有する構成にされている。上記の構成によれば、操作手段に所定の操作が行われたことを条件として、通信情報データが読取手段に読み取られるから、個人情報が他人に取得されるのを防止することができる。
【００５３】
また、本実施の形態の通信システム１００において、読取装置は、画像を表示する表示手段（表示部９３）と、読取手段が読み取った通信情報データを通信情報画像２０として表示手段に表示させる表示制御手段（ＣＰＵ８３、表示制御回路８８、図４の読取装置側通信処理ルーチン等）と、を更に有する構成にされている。上記の構成によれば、通信情報データが通信情報画像２０として表示手段に表示されるから、表示手段を視認することによって、知りたい通信情報を容易に検索することができる。
【００５４】
また、本実施の形態の通信システム１００において、読取装置は、他の通信装置（他の携帯電話端末、他の汎用パーソナルコンピュータ等）との間で通信可能な通信手段（通信部９４、通信回路８９等）を更に有する構成にされている。上記の構成によれば、読取装置が読み取った通信情報データを用いて、通信手段により他の携帯電話端末等の他の通信装置との間で通話等の通信を直ちに行うことができる。
【００５５】
また、本実施の形態の携帯電話端末１は、上記の通信システム１００に用いられる携帯電話端末１であって、データを記憶可能なデータ記憶手段（ＲＡＭ３５等）を更に有し、データ記憶制御手段は、通信情報データをデータとしてデータ記憶手段に記憶させる構成にされている。
【００５６】
上記の構成によれば、通信情報データは、ＲＦＩＤタグ５０とデータ記憶手段とにそれぞれ記憶される。これにより、ＲＦＩＤタグ５０が記憶する通信情報データに破損等の事態が生じても、データ記憶手段が記憶する通信情報データを用いて復元することができる。
【００５７】
また、本実施の形態の読取装置は、上記の通信システム１００に用いられる読取装置であって、公衆電話機８０に設けられている構成にされている。
【００５８】
上記の構成によれば、ＲＦＩＤタグ５０が記憶する通信情報データが公衆電話機８０に読み取られるから、公衆電話機８０が備える通話機能と通信情報データとを利用して、外部との通話を直ちに行うことができる。
【００５９】
また、本実施の形態の読取装置は、上記の通信システム１００に用いられる読取装置であって、汎用パーソナルコンピュータ９０に設けられている構成にされている。
【００６０】
上記の構成によれば、ＲＦＩＤタグ５０が記憶する通信情報データが汎用パーソナルコンピュータ９０に読み取られるから、汎用パーソナルコンピュータ９０が備える通信機能と通信情報データとを利用して、外部とのメール通信等を直ちに行うことができる。
【００６１】
（本実施の形態の変形例）
以上、本発明の実施例を説明したが、具体例を例示したに過ぎず、特に本発明を限定するものではなく、具体的構成などは、適宜設計変更可能である。また、発明の実施の形態に記載された、作用及び効果は、本発明から生じる最も好適な作用及び効果を列挙したに過ぎず、本発明による作用及び効果は、本発明の実施の形態に記載されたものに限定されるものではない。
【００６２】
例えば、本実施の形態において、読取装置が公衆電話機８０および汎用パーソナルコンピュータ９０に設けられた構成にされているが、この構成に限定されるものではなく、読取装置が携帯電話端末に設けられた構成にされていてもよい。この場合、自分の携帯電話端末１のバッテリーが切れても、他人の携帯電話端末に通信情報データを読み取ってもらい、他人の携帯電話端末を借りるなどして、早期に通信を行うことができる。
【図面の簡単な説明】
【００６３】
【図１】通信システムの構成図。
【図２】通信システムの電気的構成を示す図。
【図３】通信情報管理テーブルを示す図。
【図４】通信処理ルーチンを示す図。
【符号の説明】
【００６４】
１    携帯電話端末
３３    ＣＰＵ
５０    ＲＦＩＤタグ
８０    公衆電話機
８３    ＣＰＵ
８６    復調回路
９０    汎用パーソナルコンピュータ
９１    アンテナ
１００    通信システム
【図１】
2009177596.tif 000003
【図２】
2009177596.tif 000004
【図３】
2009177596.tif 000005
【図４】
2009177596.tif 000006